(57)【特許請求の範囲】
【請求項１】
所定のＰＨＳ端末と、このＰＨＳ端末と通信が可能な複数の基地局とにより構成されるＰＨＳシステムであって、前記ＰＨＳ端末が制御チャネルを捕捉可能な複数の基地局のうちの所定の受信電界強度以上で捕捉可能な基地局の中から、着信を待ち受けする基地局をランダムに選択することを特徴とするＰＨＳシステム。
【請求項２】
複数の基地局と通信可能に構成されたＰＨＳシステムのＰＨＳ端末であって、制御チャネルを捕捉可能な複数の基地局の、所定の受信電界強度以上で捕捉可能な基地局の中から、着信を待ち受けする基地局をランダムに選択することを特徴とするＰＨＳシステムのＰＨＳ端末。
【請求項３】
所定のＰＨＳ端末と、このＰＨＳ端末と通信が可能な複数の基地局とにより構成されるＰＨＳシステムの待ち受け基地局選択方法であって、前記ＰＨＳ端末が制御チャネルを捕捉可能な複数の基地局の、所定の受信電界強度以上で捕捉可能な基地局の中から、着信を待ち受けする基地局をランダムに選択することを特徴とするＰＨＳシステムの待ち受け基地局選択方法。
【発明の詳細な説明】
【０００１】
【発明の属する技術分野】
本発明は、ＰＨＳシステムおよびＰＨＳシステムの待ち受け基地局選択方法に関する。
【０００２】
【従来の技術】
従来、ＰＨＳ端末（以降、ＰＳという）は、電源投入、または制御チャネル（以降、ＬＣＣＨという）を定常的に受信していた基地局から、システムで指定された受信電界強度以上の制御チャネルが確保できなくなった場合に、新たな基地局を待ち受け基地局として選択する。この場合、例えば図３に示すように、一定時間内に受信できた複数のＬＣＣＨの中から、受信電界強度最大の基地局を待ち受け基地局として選択する。本例の場合、各基地局の受信電界強度は、６０ｄＢμＶ／ＣＳ１、５５ｄＢμＶ／ＣＳ２、４０ｄＢμＶ／ＣＳ３、３５ｄＢμＶ／ＣＳ４、である。よって、これらの内の最大受信電界強度の基地局ＣＳ１が、待ち受け基地局として選択される。
【０００３】
【発明が解決しようとする課題】
しかしながら、上記従来のＰＨＳシステムおよびＰＨＳシステムの待ち受け基地局選択方法の場合、事業所等のような人の移動するルートが固定された場所、あるいはＰＳ利用者が極地的に集中する場所等においては、全てのＰＳが特定の基地局を待ち受けし、呼損が増加してしまう問題を伴う。
【０００４】
上記問題の発生するメカニズムの解明を、図３〜図５を用いて以下に説明する。なお、図３は問題点説明のための具体化例であり、図４は、図３における通信形態の具体化例である。また、図５は、ＰＢＸ（Private Branch Exchange/構内交換機）、基地局（ＣＳ）、端末機器（ＰＳ１〜ＰＳｎ）間の通信フロー図である。
【０００５】
地点Ａにおいて電源投入したＰＳは電界強度の最も強いＣＳ１を待ち受け基地局として選択する。このとき、システムから待ち受けゾーン保持レベル（ＰＳが待ち受け基地局を切換る受信電界強度／例として２０ｄＢμＶ）を受信する。ＰＳは、地点Ａから廊下を通って地点Ｂに移動する。
【０００６】
地点Ｂにおいて、ＰＳの所定の第１の基地局ＣＳ１から受信するＬＣＣＨの受信電界強度は、２０ｄＢμＶとなる。このため、ＰＳは新たな基地局を選択する。このとき、ＣＳ３、ＣＳ４、ＣＳ５のＬＣＣＨを捕捉でき、ＰＳは受信電界強度最大のＣＳ３を待ち受け基地局として選択する。この結果、同じルートを通るＰＳの全てがＣＳ３を待ち受け基地局として選択することとなる。
【０００７】
上記のような状況により、特定の基地局を待ち受けするＰＳが集中した場合において、着信が一斉に発生すると、この特定の基地局（例えばＣＳ３）においては、着呼に対するＰＳの着信応答の速度よりＰＢＸからの着呼受信の速度の方が速い。図５は、このような負荷集中による呼損の発生する状態例を表している。本図５において、ＣＳが着呼保持バッファ数を越えた着呼（例えば、ｎ）を受信した場合は、越えた着呼が破棄される。ここにおいて、着呼保持可能数は、下記の関係式で表される。
【０００８】
着呼保持可能数＝受信着信数−着呼応答受信数
ＣＳが着呼保持バッファ数を越えた着呼を受信した場合は、基地局の着呼保持バッファが満杯になり、その数を越えた着信については破棄され、呼損が発生するという問題を有している。
【０００９】
本発明は、上記課題に鑑みてなされたものであり、特定基地局への通信負荷集中による呼損を減少させた、ＰＨＳシステムおよびＰＨＳシステムの待ち受け基地局選択方法を提供することを目的とする。
【００１０】
より詳細には、本発明は、複数の基地局のＬＣＣＨが補捉可能な場合に、十分に受信電界強度の強い基地局の中からランダムに着信を待ち受けする基地局を選択することで、特定基地局への通信負荷集中による呼損を滅少させることを目的としたものである。
【００１１】
【課題を解決するための手段】
本発明は、上記問題点を解決するため、以下の構成を採る。
【００１２】
本発明は、ＰＨＳ端末が制御チャネルを捕捉可能な複数の基地局のうちの所定の受信電界強度以上で捕捉可能な基地局の中から、着信を待ち受けする基地局をランダムに選択することを特徴とする。これにより、特定基地局への通信負荷集中を防止することができ、呼損を減少させることが可能となる。
【００１３】
【発明の実施の形態】
請求項１記載のＰＨＳシステムに関する発明は、所定のＰＳと、このＰＳと通信が可能な複数の基地局とにより構成されるＰＨＳシステムであり、ＰＳが制御チャネルを捕捉可能な複数の基地局の、所定の受信電界強度以上で捕捉可能な基地局の中から、着信を待ち受けする基地局をランダムに選択する構成を採る。
【００１４】
この構成により、複数の基地局のＬＣＣＨが捕捉可能な場合に、持定基地局への通信負荷集中による呼損の発生を減少させることができる。
【００１９】
請求項２記載のＰＨＳシステムのＰＳに関する発明は、複数の基地局と通信可能に構成されたＰＨＳシステムのＰＳであり、制御チャネルを捕捉可能な複数の基地局の、所定の受信電界強度以上で捕捉可能な基地局の中から、着信を待ち受けする基地局をランダムに選択する構成を採る。
【００２０】
この構成により、持定基地局への通信負荷集中による通信不能の発生確率を減少させることができる。
【００２２】
請求項３記載のＰＨＳシステムの待ち受け基地局選択方法に関する発明は、所定のＰＳと、このＰＳと通信が可能な複数の基地局とにより構成されるＰＨＳシステムの待ち受け基地局選択方法であり、ＰＳが制御チャネルを捕捉可能な複数の基地局の、所定の受信電界強度以上で捕捉可能な基地局の中から、着信を待ち受けする基地局をランダムに選択する構成を採る。
【００２３】
この構成により、複数の基地局のＬＣＣＨが捕捉可能な場合に、持定基地局への通信負荷集中による呼損の発生を減少させることができる。
【００２８】
次に図面を参照して、本発明の一実施の形態に係るＰＨＳシステムおよびＰＨＳシステムの待ち受け基地局選択方法を詳細に説明する。図１および図２は、本発明の一実施形態に係るＰＨＳシステムおよびＰＨＳシステムの待ち受け基地局選択方法の構成を説明するための図である。
【００２９】
図１は、ＰＳのＰＨＳシステムおよびＰＨＳシステムの待ち受け基地局選択方法を示す。本図１においてＰＳは、４台の基地局（ＣＳ１〜ＣＳ４）のＬＣＣＨを受信できる位置にあり、それぞれの基地局から受けるＬＣＣＨの受信電界強度は、６０ｄＢμＶ、５５ｄＢμＶ、４０ｄＢμＶ、３５ｄＢμＶである。また、ＰＳが基地局をランダムに選択するしきい値（以下、「ランダム選択しきい値」または「規定値」とも称する）は、４０ｄＢμＶであるとする。
【００３０】
この場合、ＰＳは、４０ｄＢμＶ以上の受信電界強度のＬＣＣＨからランダムで基地局を選択する。このため、受信電界強度が４０ｄＢμＶ以下である基地局ＣＳ４を除き、規定値以上の受信電界強度の基地局ＣＳ１〜ＣＳ３の中から、自由に待ち受け基地局を選択することが可能となる。この仮定をより具体化した図２を用いて、実際にＰＳが移動した場合の動作例を、以下に説明する。
【００３１】
地点Ａにおいて、電源を投入したＰＳｘは、上において仮定した「ランダム選択しきい値／４０ｄＢμＶ」以上の電界強度を持つ基地局ＣＳ１またはＣＳ２を、待ち受け基地局として選択する。このとき、システムから待ち受けゾーン保持レベル（ＰＳが待ち受け基地局を切換える受信電界強度／例として２０ｄＢμＶ）を受信する。
【００３２】
上記のＰＳｘは、例えば、地点Ａから廊下を通って地点Ｂに移動する。移動後のＰＳｘが、地点ＢにおいてＣＳ１から受信するＬＣＣＨの受信電界強度は、２０ｄＢμＶになる。このため、ＰＳｘは、新たな基地局を選択する。このとき、ＣＳ３、ＣＳ４、ＣＳ５のＬＣＣＨを捕捉できる。
【００３３】
ＬＣＣＨを捕捉可能な基地局ＣＳ３、ＣＳ４、ＣＳ５の内、ランダム選択しきい値［４０ｄＢμＶ］を上回る基地局は、ＣＳ３、ＣＳ５の２基である。このため、ＰＳｘは、ＣＳ３またはＣＳ５を待ち受け基地局として選択する。
【００３４】
このように、所定のＰＳｘが同じルートを通る場合でも、実際に待ち受け基地局として選択される基地局が分散される。このため、特定基地局への通信負荷の集中が分散される。これにより、呼損を減少させることができる。また、ＰＳ利用者が多く集まる地点においては、ランダム選択しきい値を上回るように基地局の設置台数を増やせば、より負荷を分散させることができる。このため、大幅に呼損率を低減させることが可能となる。
【００３５】
以上のように、本実施形態では、新たな基地局を待ち受け基地局として選択する場合に、十分受信電界強度の強い基地局の中からランダムに着信を待ち受けする基地局を選択する。このことで、特定基地局への通信負荷集中による呼損を減少させることがてきるという効果が得られる。
【００３６】
尚、上記の実施形態は本発明の好適な実施の一例である。但し、これに限定されるものではなく、本発明の要旨を逸脱しない範囲内において種々変形実施が可能である。例えば、電界強度の規定値は一つに限られず、電界強度の異なる複数種類を設ける。この複数種類の強度の規定値において、待ち受け基地局として選択された基地局が所定数以上、あるいは所定値以下の場合に、何れかの規定値へ選択的に切り替える。この切り替えは、例えば、ＰＨＳ端末機器が自動的に行うこととする。
【００３７】
【発明の効果】
以上の説明より明かなように、本発明によれば、新たな基地局を待ち受け基地局として選択する場合に、十分受信電界強度の強い基地局の中から着信を待ち受けする基地局を選択する。このことで、特定基地局への通信負荷集中による呼損を減少させることができる。
【図面の簡単な説明】
【図１】本発明の一実施形態であるＰＨＳシステムのブロック構成図
【図２】本実施形態の動作例を説明するための概念図
【図３】従来のＰＨＳシステムのブロック構成図
【図４】従来のＰＨＳシステムの負荷集中による呼損の発生のメカニズムを説明するための概念図
【図５】図４の従来の手順例を表したフロー図
【符号の説明】
ＣＳ１〜ＣＳ４  基地局
ＰＳ  ＰＨＳ端末
Ａ    地点
Ｂ    地点
【図１】
0004080611.tif 000002
【図２】
0004080611.tif 000003
【図３】
0004080611.tif 000004
【図４】
0004080611.tif 000005
【図５】
0004080611.tif 000006